(57)【要約】【課題】種々の壁に対して給水湯管継手を容易に固定することができる継手固定具を提供する。【解決手段】継手固定具４は、壁１に形成された貫通孔１ａに、給水湯管継手２をその一方の接続口２ａが貫通孔１ａから壁裏Ｐ２側へと臨んだ状態で取付固定するものである。この継手固定具４は、給水湯管継手２が取付固定される固定具本体５と、貫通孔１ａに通されるボルト部材６と、そのボルト部材６に螺合する係合体７とを備える。固定具本体５は、貫通孔１ａの周縁部壁表面１ｂに当接する壁表当接部５ａと、ボルト部材６が挿通される通孔５ｂとを有する。係合体７は、貫通孔１ａの周縁部壁裏面１ｃに係合可能な壁裏係合部７ａを有する。そして、係合体７は、その係合体７を壁表Ｐ１側から貫通孔１ａを通って壁裏Ｐ２側へと挿入可能な回避位置と、壁裏係合部７ａが周縁部壁裏面１ｃと対向する対向位置との間を、ボルト部材６の操作によって移動可能となっている。【選択図】  図１
2009197461.tif 000002
【特許請求の範囲】
【請求項１】
壁に形成された貫通孔に、給水湯管継手をその一方の接続口が前記貫通孔から壁裏側へと臨んだ状態で取付固定するための継手固定具であって、
前記給水湯管継手が取付固定される固定具本体と、前記貫通孔に通されるボルト部材と、そのボルト部材に螺合するようにして取り付けられる係合体とを備え、
前記固定具本体は、前記貫通孔の周縁部壁表面に当接する壁表当接部と、前記ボルト部材が挿通される通孔とを有し、
前記係合体は、前記貫通孔の周縁部壁裏面に係合可能な壁裏係合部と、前記ボルト部材が螺合するねじ孔とを有し、かつ、
前記係合体は、その係合体を壁表側から前記貫通孔の周縁部に干渉することなく壁裏側へと挿入可能な回避位置と、前記壁裏係合部が前記周縁部壁裏面と対向する対向位置との間を、前記ボルト部材の操作によって移動可能であって、前記対向位置にて、前記ボルト部材の前記ねじ孔へのねじ込みにより、壁表側に向かって引き寄せられて、前記壁裏係合部が前記周縁部壁裏面を押圧し、その壁裏係合部と前記壁表当接部とで前記壁を挟持することを特徴とする継手固定具。
【請求項２】
前記係合体は、前記対向位置において、前記貫通孔を横切るように配置されて、その一方の端部部分が前記壁裏係合部としての第１壁裏係合部となり、他方の端部部分が前記壁裏係合部としての第２壁裏係合部となって、それら第１壁裏係合部と第２壁裏係合部との間の係合体中間部に、前記ねじ孔が設けられることを特徴とする、請求項１に記載の継手固定具。
【請求項３】
前記係合体中間部には、前記第１壁裏係合部に近接する側に前記ねじ孔としての第１ねじ孔が設けられ、前記第２壁裏係合部に近接する側に前記ねじ孔としての第２ねじ孔が設けられ、
前記第１ねじ孔には、前記ボルト部材としての第１ボルト部材が螺合し、前記第２ねじ孔には、前記ボルト部材としての第２ボルト部材が螺合し、
前記固定具本体には、前記第１ボルト部材が挿通される前記通孔としての第１通孔が設けられ、また、
前記固定具本体には、前記第２ボルト部材が前記係合体の前記対向位置にて挿通される、前記通孔としての第２通孔が設けられ、かつ、前記第２通孔に通じて、前記第２ボルト部材が前記第２通孔に対して出入り可能となる、切欠きが設けられて、その切欠きを前記第２ボルト部材が通るようにして、前記第２ボルト部材と前記係合体とが前記第１ボルト部材を介して、前記第１通孔の軸心回りに回動することで、前記係合体が前記回避位置と前記対向位置との間を移動可能となることを特徴とする、請求項２に記載の継手固定具。
【請求項４】
前記回避位置は、前記係合体が、前記固定具本体に取付固定された前記給水湯管継手、または、その給水湯管継手の前記一方の接続口に接続された給水湯管と干渉する位置となっていることを特徴とする、請求項１ないし３のいずれか１項に記載の継手固定具。
【発明の詳細な説明】
【技術分野】
【０００１】
この発明は、給水湯管継手を壁の貫通孔に取付固定するための継手固定具に関するものである。
【背景技術】
【０００２】
従来、壁に設けられた貫通孔に、給水湯管継手としての水栓ボックスを固定するための水栓ボックスホルダーがあった（例えば、特許文献１参照）。図２２に示されるように、水栓ボックス２１は、その一方に蛇口等を接続するための接続部２１ａを備え、他方に水道管２２が接続されるものであった。これに対して、水栓ボックスホルダー２３は、前記水栓ボックス２１を支持する支持部２３ａと、壁２０にアンカーピン２４等により取り付けられる取付部２３ｂとを備えていた。
【０００３】
【特許文献１】特開２００５−５４３８７号公報
【発明の開示】
【発明が解決しようとする課題】
【０００４】
ところで、前記従来の水栓ボックスホルダー２３にあっては、壁２０がコンクリートであると、直接ビスを壁２０にねじ込むことができず、アンカーピン２４を打ち込む等の作業が必要であった。また、壁２０がコンクリートでない場合であっても、壁厚が薄いときには、壁２０に対するビスの固定強度が弱く、壁２０への取り付けが困難であった。
【０００５】
この発明は、上記した従来の欠点を解決するためになされたものであり、その目的とするところは、種々の壁に対して給水湯管継手を容易に固定することができる継手固定具を提供することにある。
【課題を解決するための手段】
【０００６】
この発明に係る継手固定具は、前記目的を達成するために、次の構成からなる。すなわち、
請求項１に記載の発明に係る継手固定具は、壁に形成された貫通孔に、給水湯管継手をその一方の接続口が前記貫通孔から壁裏側へと臨んだ状態で取付固定するための継手固定具である。この継手固定具は、前記給水湯管継手が取付固定される固定具本体と、前記貫通孔に通されるボルト部材と、そのボルト部材に螺合するようにして取り付けられる係合体とを備える。ここで、前記固定具本体は、前記貫通孔の周縁部壁表面に当接する壁表当接部と、前記ボルト部材が挿通される通孔とを有する。前記係合体は、前記貫通孔の周縁部壁裏面に係合可能な壁裏係合部と、前記ボルト部材が螺合するねじ孔とを有する。そして、前記係合体は、その係合体を壁表側から前記貫通孔の周縁部に干渉することなく壁裏側へと挿入可能な回避位置と、前記壁裏係合部が前記周縁部壁裏面と対向する対向位置との間を、前記ボルト部材の操作によって移動可能であって、前記対向位置にて、前記ボルト部材の前記ねじ孔へのねじ込みにより、壁表側に向かって引き寄せられて、前記壁裏係合部が前記周縁部壁裏面を押圧し、その壁裏係合部と前記壁表当接部とで前記壁を挟持する。
【０００７】
この継手固定具は、給水湯管継手が取付固定される固定具本体を備えている。この継手固定具を壁に固定するには、ボルト部材により固定具本体と繋がった係合体を、回避位置にて、壁表側から貫通孔を通して壁裏側に配備するとともに、固定具本体の壁表当接部を貫通孔の周縁部壁表面に対向させる。そして、ボルト部材を、壁表側から操作することで、係合体を、その壁裏係合部が貫通孔の周縁部壁裏面と対向する対向位置に移動させる。その後、ボルト部材を、壁表側から係合体のねじ孔にねじ込むことで、係合体は、壁表側に向かって引き寄せられ、係合体の壁裏係合部が貫通孔の周縁部壁裏面を押圧し、その壁裏係合部と壁表当接部とで壁を挟持する。こうして、固定具本体、ひいては継手固定具は、壁の貫通孔に固定される。そして、この継手固定具の壁への固定の後、またはその前に、固定具本体に給水湯管継手を取付固定することで、給水湯管継手は、貫通孔に固定される。
【０００８】
また、請求項２に記載の発明に係る継手固定具は、請求項１に記載の継手固定具において、前記係合体は、前記対向位置において、前記貫通孔を横切るように配置されて、その一方の端部部分が前記壁裏係合部としての第１壁裏係合部となり、他方の端部部分が前記壁裏係合部としての第２壁裏係合部となって、それら第１壁裏係合部と第２壁裏係合部との間の係合体中間部に、前記ねじ孔が設けられる。このように、係合体の両端部部分が、壁裏係合部となることで、それら壁裏係合部が貫通孔の周縁部壁裏面を安定して押圧することができる。
【０００９】
また、請求項３に記載の発明に係る継手固定具は、請求項２に記載の継手固定具において、前記係合体中間部には、前記第１壁裏係合部に近接する側に前記ねじ孔としての第１ねじ孔が設けられ、前記第２壁裏係合部に近接する側に前記ねじ孔としての第２ねじ孔が設けられる。そこで、前記第１ねじ孔には、前記ボルト部材としての第１ボルト部材が螺合し、前記第２ねじ孔には、前記ボルト部材としての第２ボルト部材が螺合する。そして、前記固定具本体には、前記第１ボルト部材が挿通される前記通孔としての第１通孔が設けられる。また、前記固定具本体には、前記第２ボルト部材が前記係合体の前記対向位置にて挿通される、前記通孔としての第２通孔が設けられ、かつ、前記第２通孔に通じて、前記第２ボルト部材が前記第２通孔に対して出入り可能となる、切欠きが設けられて、その切欠きを前記第２ボルト部材が通るようにして、前記第２ボルト部材と前記係合体とが前記第１ボルト部材を介して、前記第１通孔の軸心回りに回動することで、前記係合体が前記回避位置と前記対向位置との間を移動可能となる。
【００１０】
また、請求項４に記載の発明に係る継手固定具は、請求項１ないし３のいずれか１項に記載の継手固定具において、前記回避位置は、前記係合体が、前記固定具本体に取付固定された前記給水湯管継手、または、その給水湯管継手の前記一方の接続口に接続された給水湯管と干渉する位置となっている。これにより、継手固定具によって給水湯管継手が壁の貫通孔に取付固定された後には、ボルト部材がねじ孔に対して緩んだ場合であっても、対向位置にある係合体が回避位置に移動することはなく、継手固定具、ひいては給水湯管継手が壁から外れるのを避けることができる。
【発明の効果】
【００１１】
この発明に係る継手固定具によれば、給水湯管継手を壁の貫通孔に固定するにあたって、壁裏係合部と壁表当接部とで壁を挟持するようにして継手固定具を壁に固定するため、壁がコンクリートであったり、壁厚が薄い場合にも対応することができ、しかも、壁裏側からの作業が不要となるため、種々の壁に対して給水湯管継手を容易に固定することができる。
【発明を実施するための最良の形態】
【００１２】
以下、この発明に係る継手固定具を実施するための最良の形態を図面に基づいて説明する。
【００１３】
図１〜図１０は、本発明の第一の実施の形態を示す。図中符号１は、建物の壁、例えば、基礎コンクリートの立上り壁とか外壁、その他の壁である。１ａは、前記壁１に形成された貫通孔である。２は、給水湯管継手である。４は、前記貫通孔１ａに、前記給水湯管継手２をその一方の接続口２ａが前記貫通孔１ａから壁裏Ｐ２側へと臨んだ状態で取付固定するための継手固定具である。
【００１４】
給水湯管継手２は、図１０に示すように、ヘッダーからなり、長手の筒状形状をした主管部２ｂと、その主管部２ｂから直交方向に分岐した複数の前記一方の接続口２ａ、２ａとから構成されて、それら複数の接続口２ａ、２ａが、壁裏Ｐ２に向くように配置される。そして、この一方の接続口２ａが、分岐管となる給水湯管３ａ（水あるいは湯を供給する管）が接続される接続口となる（図１参照）。また、主管部２ｂの先端部分が、本管となる給水湯管が接続される他方の接続口２ｃとなる。図示実施の形態においては、主管部２ｂの両先端部分が前記他方の接続口２ｃとなっており、本管となる給水湯管は、そのいずれにも接続可能となっている。また、図示実施の形態においては、給水湯管継手２は、被支持部２ｄ、２ｄを有しており、この被支持部２ｄは、隣接する一方の接続口２ａ、２ａ間において、接続口２ａ、２ａを挟む両側に筒状に突出形成されている。
【００１５】
継手固定具４は、給水湯管継手２が取付固定される固定具本体５と、前記貫通孔１ａに通されるボルト部材６と、そのボルト部材６に螺合するようにして取り付けられる係合体７とを備える。ここで、固定具本体５は、貫通孔１ａの周縁部壁表面１ｂに当接する壁表当接部５ａと、ボルト部材６が挿通される通孔５ｂとを有する。一方、係合体７は、貫通孔１ａの周縁部壁裏面１ｃに係合可能な壁裏係合部７ａと、ボルト部材６（詳しくは、ボルト部材６の先端側）が螺合するねじ孔７ｂとを有する。そして、係合体７は、その係合体７を壁表Ｐ１側から貫通孔１ａの周縁部に干渉することなく壁裏Ｐ２側へと挿入可能な回避位置（図４〜図６参照）と、前記壁裏係合部７ａが貫通孔１ａの周縁部壁裏面１ｃと対向する対向位置（図７〜図９参照。図７では、この状態の係合体７が二点鎖線で示される。）との間を、ボルト部材６の操作によって移動可能であって、前記対向位置にて、ボルト部材６の前記ねじ孔７ｂへのねじ込みにより、壁表Ｐ１側に向かって引き寄せられて、壁裏係合部７ａが貫通孔１ａの周縁部壁裏面１ｃを押圧し、その壁裏係合部７ａと前記壁表当接部５ａとで壁１を挟持する（図７〜図９参照。図７では、この状態の係合体７が実線で示される）。
【００１６】
詳細には、係合体７は、図９に示すように、前記対向位置において、貫通孔１ａを横切るように配置されて、その一方の端部部分が前記壁裏係合部７ａとしての第１壁裏係合部７０１となり、他方の端部部分が前記壁裏係合部７ａとしての第２壁裏係合部７０２となって、それら第１壁裏係合部７０１と第２壁裏係合部７０２との間の係合体中間部７ｃに、前記ねじ孔７ｂが設けられる。より詳細には、係合体中間部７ｃには、前記第１壁裏係合部７０１に近接する側に前記ねじ孔７ｂとしての第１ねじ孔７１１が設けられ、前記第２壁裏係合部７０２に近接する側に前記ねじ孔７ｂとしての第２ねじ孔７１２が設けられる。そこで、第１ねじ孔７１１には、前記ボルト部材６としての第１ボルト部材６０１が螺合し、第２ねじ孔７１２には、前記ボルト部材６としての第２ボルト部材６０２が螺合する。その一方で、固定具本体５には、第１ボルト部材６０１が挿通される前記通孔５ｂとしての第１通孔５０１が設けられる。また、固定具本体５には、第２ボルト部材６０２が係合体７の前記対向位置にて挿通される、前記通孔５ｂとしての第２通孔５０２が設けられ、かつ、その第２通孔５０２に通じて、第２ボルト部材６０２が第２通孔５０２に対して出入り可能となる、切欠き５ｃが設けられる。そこで、その切欠き５ｃを第２ボルト部材６０２が通るようにして、第２ボルト部材６０２と係合体７とが第１ボルト部材６０１を介して、第１通孔５０１の軸心回りに回動することで、係合体７は、前記回避位置と前記対向位置との間を移動可能となる。
【００１７】
具体的には、継手固定具４における固定具本体５は、内側に長方形等の略矩形状の開口５ｄを有するように平板枠状に形成された枠体５ｅと、その枠体５ｅの内周縁から後方（つまり、壁裏Ｐ２側）に向かって起立する立側部５ｆとから構成されている。そこで、前記貫通孔１ａは、固定具本体５の開口５ｄよりも一回り大きな長方形等の矩形形状をしており、枠体５ｅの外周側が前記壁表当接部５ａとなり、枠体５ｅの内周側が貫通孔１ａに臨む非当接部５ｇとなるとともに、立側部５ｆが貫通孔１ａに進入する。また、第１通孔５０１と第２通孔５０２とは、非当接部５ｇにおける長手方向の各側に、前記開口５ｄを横切って対向する位置に設けられている。そして、前記切欠き５ｃは、開口５ｄから第２通孔５０２に通じるように、第１通孔５０１の軸心を中心とする円弧状に形成されている。そして、前記立側部５ｆは、切欠き５ｃ部分では、その切欠き５ｃおよび第２通孔５０２を囲むように折り返されて形成されている。また、固定具本体５には、給水湯管継手２を取り付けるために、取付ビス１１がねじ込まれる、溝状の取付孔５ｈ、５ｈが明けられている。
【００１８】
係合体７は、平板帯状であって、その平板面内で前記係合体中間部７ｃが、円弧状に湾曲形成されている。そして、係合体中間部７ｃの一方の基部に、前記第１ねじ孔７１１が形成され、他方の基部に、前記第２ねじ孔７１２が形成される。そして、係合体７は、前述のように、一方の端部部分が第１壁裏係合部７０１となり、他方の端部部分が第２壁裏係合部７０２となるが、これら第１および第２壁裏係合部７０１、７０２の他に、係合体中間部７ｃにおける中央部分が、壁裏係合部７ａとしての第３壁裏係合部７０３となっている。
【００１９】
ところで、給水湯管継手２を固定具本体５に取り付けるには、一対の取付補助具８、８が用いられる。この取付補助具８は、断面Ｌ字状であって長手の補助具本体８ａと、その補助具本体８ａの一方の片から突出する柱状の支持部８ｂ、８ｂとからなる。補助具本体８ａは、その両片を繋ぐリブ８ｃ、８ｃにより補強されており、また、他方の片には、孔８ｄ、８ｄが明けられている。そこで、一対の取付補助具８、８は、支持部８ｂが給水湯管継手２の被支持部２ｄに挿入されるようにして、給水湯管継手２を両側から挟むように支持し、孔８ｄに挿入されて取付孔５ｈにねじ込まれる取付ビス１１により、固定具本体５に固定される。こうして、給水湯管継手２は、この取付補助具８を介すことで、固定具本体５に取付固定される。なお、図中、符号９は、化粧カバーであって、この化粧カバー９は、給水湯管継手２を覆うようにして固定具本体５に取り付けられる。
【００２０】
次に、以上の構成からなる継手固定具４の作用効果について説明する。継手固定具４は、給水湯管継手２が取付固定される固定具本体５を備えている。この継手固定具４を壁１に固定するには、図４〜図６に示すように、ボルト部材６（詳細には、第１および第２ボルト部材６０１、６０２）により固定具本体５と繋がった係合体７を、前記回避位置にて、壁表Ｐ１側から貫通孔１ａを通して壁裏Ｐ２側に配備するとともに、固定具本体５の壁表当接部５ａを貫通孔１ａの周縁部壁表面１ｂに対向させる。
【００２１】
そして、ボルト部材６を、壁表Ｐ１側から操作することで、係合体７を、その壁裏係合部７ａ（第１〜第３壁裏係合部７０１、７０２、７０３）が貫通孔１ａの周縁部壁裏面１ｃと対向する対向位置に移動させる（図７〜図９参照。図７では、この状態の係合体７が二点鎖線で示される。）。すなわち、例えば、第２ボルト部材６０２を操作するようにして、その第２ボルト部材６０２と係合体７とを第１ボルト部材６０１を介して、第１通孔５０１の軸心回りに回動させることで、第２ボルト部材６０２を、切欠き５ｃを通して第２通孔５０２に挿入する。こうして、係合体７を、前記対向位置に移動させることができる。
【００２２】
その後、ボルト部材６（詳細には、第１および第２ボルト部材６０１、６０２）を、壁表Ｐ１側から係合体７のねじ孔７ｂ（詳細には、第１および第２ねじ孔７１１、７１２）にねじ込む。これによって、係合体７は、壁表Ｐ１側に向かって引き寄せられ、係合体７の壁裏係合部７ａが貫通孔１ａの周縁部壁裏面１ｃを押圧し、その壁裏係合部７ａと固定具本体５の壁表当接部５ａとで壁１を挟持する（図７〜図９参照。図７では、この状態の係合体７が実線で示される。）。こうして、固定具本体５、ひいては継手固定具４は、壁１の貫通孔１ａに固定される。なお、ボルト部材６をねじ孔７ｂにねじ込むにあたって、第１ボルト部材６０１または第２ボルト部材６０２の一方のボルト部材を回動させると、係合体７は、貫通孔１ａの周縁部壁裏面１ｃに近接しさらには当接するが、この過程で、他方のボルト部材（第２ボルト部材６０２または第１ボルト部材６０１）は、係合体７に連れられて壁表Ｐ１側へと突出する。そこで、他方のボルト部材（第２ボルト部材６０２または第１ボルト部材６０１）を螺回動させて係合体７を完全に固定する。もっとも、第１ボルト部材６０１と第２ボルト部材６０２とを交互に少しずつ螺回動操作することで、係合体７を固定しても良い。
【００２３】
そして、この継手固定具４の壁１への固定の後、またはその前に（図示実施の形態においては、固定の後）、固定具本体５に給水湯管継手２を取付固定することで、給水湯管継手２は、貫通孔１ａに固定される（図１〜図３参照）。このように、給水湯管継手２を壁１の貫通孔１ａに固定するにあたって、壁裏係合部７ａと壁表当接部５ａとで壁１を挟持するようにして継手固定具４を壁１に固定するため、壁１がコンクリートであったり、壁厚が薄い場合にも対応することができ、しかも、壁裏Ｐ２側からの作業が不要となるため、種々の壁１に対して給水湯管継手２を容易に固定することができる。
【００２４】
また、係合体７は、その両端部部分が、壁裏係合部７ａ（第１壁裏係合部７０１、第２壁裏係合部７０２）となることで、それら第１および第２壁裏係合部７０１、７０２が貫通孔１ａの周縁部壁裏面１ｃを安定して押圧することができる。
【００２５】
また、前記回避位置は、係合体７が、固定具本体５に取付固定された給水湯管継手２、または、その給水湯管継手２の前記一方の接続口２ａに接続された給水湯管３ａと干渉する位置（図示実施の形態においては、この給水湯管３ａと干渉する位置）となっている。したがって、継手固定具４によって給水湯管継手２が壁１の貫通孔１ａに取付固定された後には、ボルト部材６（第１ボルト部材６０１、第２ボルト部材６０２）がねじ孔７ｂ（第１ねじ孔７１１、第２ねじ孔７１２）に対して緩んだ場合であっても、前記対向位置にある係合体７が回避位置に移動することはなく、継手固定具４、ひいては給水湯管継手２が壁１から外れるのを避けることができる。
【００２６】
図１１〜図２１は、本発明の第二の実施の形態を示す。この実施の形態に示す継手固定具４は、第一の実施の形態とは、固定具本体５における通孔５ｂ周りの構造および係合体７の形状が異なるが、他はほぼ同様であり、以下に、同様の部位には同一の符号を付して、異なる部分を主に説明する。
【００２７】
固定具本体５は、内側に長方形等の略矩形状の開口５ｄを有するように平板枠状に形成された枠体５ｅと、その枠体５ｅの内周縁から後方（つまり、壁裏Ｐ２側）に向かって起立する立側部５ｆとから構成されている。そこで、枠体５ｅの外周側が、壁１に形成された貫通孔１ａの周縁部壁表面１ｂに当接する壁表当接部５ａとなり、枠体５ｅの内周側が貫通孔１ａに臨む非当接部５ｇとなるとともに、立側部５ｆが貫通孔１ａに進入する。また、固定具本体５は、非当接部５ｇに、ボルト部材６が挿通される通孔５ｂを有している。この通孔５ｂは、図示実施の形態においては、四つ設けられており、これら通孔５ｂ、５ｂは、非当接部５ｇにおける長手方向の各側において、開口５ｄを挟んで対向位置している。また、非当接部５ｇには、通孔５ｂを囲んで後方に向かって延びる（つまり、壁裏Ｐ２側へと延びる）筒状の案内部５ｊが設けられている。この案内部５ｊは、開口５ｄとは反対側が開放された開放部５ｋとなる断面略Ｕ字形状をしている。そして、案内部５ｊの後端には、底壁５ｍが設けられており、その底壁５ｍには、通孔５ｂと対向するようにして、ボルト部材６の先端部分が入る孔５ｎが明けられている。つまり、ボルト部材６は、通孔５ｂに挿通されて、案内部５ｊ内を通り、先端部分が孔５ｎに進入する。また、案内部５ｊには、底壁５ｍに隣接して、開放部５ｋから、背面視において時計回り方向（正面視においては反時計回り方向）に明けられた、同開放部５ｋと通じているスリット５ｐが設けられている。そして、この実施の形態においても、固定具本体５には、溝状の取付孔５ｈが明けられており、この取付孔５ｈを用いて、固定具本体５に給水湯管継手２が取付固定される（図１１参照）。
【００２８】
係合体７は、板状に形成されて、幅広となる壁裏係合部７ａと、前記案内部５ｊに案内される被案内部７ｄとからなる。被案内部７ｄは、壁裏係合部７ａから幅狭となって延びて前記開放部５ｋあるいはスリット５ｐから案内部５ｊ内に入る。そして、この被案内部７ｄに、ボルト部材６が螺合するねじ孔７ｂが設けられている。ここで、係合体７は、その係合体７を壁表Ｐ１側から貫通孔１ａの周縁部に干渉することなく壁裏Ｐ２側へと挿入可能な回避位置（図１２〜図１６参照。）と、壁裏係合部７ａが周縁部壁裏面１ｃと対向する対向位置（図１７〜図２１参照。図１７および図２１では、この状態の係合体７が二点鎖線で示される。）とに、ボルト部材６の回動操作によって、そのボルト部材６とともに共回りして移動可能となっている。すなわち、回避位置は、被案内部７ｄが案内部５ｊにおけるスリット５ｐを通り、係合体７が貫通孔１ａの内面後端ラインの方向を向く位置となる。一方、前記対向位置は、被案内部７ｄが案内部５ｊにおける開放部５ｋを通り、係合体７が貫通孔１ａの内面後端ラインと交差（図示実施の形態においては直交）する方向を向く位置となる。
【００２９】
そして、回避位置から対向位置に移動した係合体７を、ボルト部材６のさらなる回動操作によって、前記対向位置を維持したまま壁表Ｐ１側に引き寄せるべく、係合体７のさらなる共回りを規制する規制手段Ｘが設けられて、ボルト部材６の前記さらなる回動操作によるねじ孔７ｂへのねじ込みにより、係合体７は、壁表Ｐ１側に向かって引き寄せられて、壁裏係合部７ａが貫通孔１ａの周縁部壁裏面１ｃを押圧し、その壁裏係合部７ａと固定具本体５の壁表当接部５ａとで壁１を挟持する（図１７〜図２１参照。図１７および図２１では、この状態の係合体７が実線で示される。）。詳細には、前記規制手段Ｘは、固定具本体５における非当接部５ｇから、ボルト部材６に沿って壁裏Ｐ２側へと延びる規制当接部５ｑと、係合体７に備わり、規制当接部５ｑに当接する被当接部７ｅとからなる。ここにおいて、規制当接部５ｑは、案内部５ｊにおける、スリット５ｐとは反対側にある側壁からなり、被当接部７ｅは、被案内部７ｄにおける、規制当接部５ｑと対向する側部からなる。
【００３０】
この第二の実施の形態の作用効果は、第一の実施の形態と同様であるが、特に、係合体７を、回避位置と対向位置との間を移動させるには、ボルト部材６を回動させて、係合体７をボルト部材６とともに共回りさせればよく、それら回避位置と対向位置との間の移動を簡単に行うことができる。また、回避位置では、係合体７は、固定具本体５に取付固定された給水湯管継手２とか、その給水湯管継手２の一方の接続口２ａに接続された給水湯管３ａとかと干渉することはなく、固定具本体５に、給水湯管３ａが接続された給水湯管継手２を取付固定した後であっても、継手固定具４を壁１に固定することができる。
【００３１】
ところで、第一および第二の実施の形態において、特に建物の外壁となるコンクリート基礎壁等の壁１に形成された貫通孔１ａ内にヘッダー（給水湯管継手２）の複数の分岐口（一方の接続口２ａ）を壁裏Ｐ２へ向くように配置し、基礎壁等の壁１の壁表Ｐ１側を配管された給水の主管（本管となる給水湯管）が接続される接続口（他方の接続口２ｃ）を壁表Ｐ１側に配置するように固定できるため、全体に基礎壁等の壁１からの突出が小さく美観が良い。また、基礎壁等の壁１の貫通孔１ａ内で複数に分岐されるため、接続部分が貫通孔１ａで保護されることとなる。
【００３２】
なお、本発明は、上述した実施の形態に限定されるわけではなく、その他種々の変更が可能である。例えば、給水湯管継手２は、ヘッダーでなくとも、ヘッダー以外の継手であってもよい。
【００３３】
また、第１の実施の形態において、係合体７を、回避位置と対向位置との間を移動させる際、第１ボルト部材６０１と係合体７と第２ボルト部材６０２とを一体として第１通孔５０１の軸心回りに回動させるために、第２ボルト部材６０２を操作したが、可能であれば、第１ボルト部材６０１を第１通孔５０１の軸心回りに回動操作してもよい。
【００３４】
また、第１の実施の形態において、係合体７を回避位置に位置させるのに、第１ボルト部材６０１を第１通孔５０１との遊びの中で傾けたり、係合体７を撓ませたり等しても構わない。
【００３５】
また、第１の実施の形態において、係合体７は、壁裏係合部７ａとして、第１〜第３壁裏係合部７０１、７０２、７０３を有しているが、係合体７が対向位置に位置するときに、係合体中間部７ｃが周縁部壁裏面１ｃに対向することがないように、その係合体中間部７ｃの形状を変更して第３壁裏係合部７０３を無くしてもよい。
【００３６】
また、係合体７の形状は、図示実施の形態に示す形状に限定されるものではなく、回避位置と対向位置とに移動することができる形状であれば、どのような形状であってもよい。
【００３７】
また、給水湯管継手２を固定具本体５に取付固定するにあたって、取付補助具８を用いたが、この取付補助具８を用いることなく、固定具本体５に直接取り付けるようにしてもよい。
【００３８】
また、係合体７に壁表Ｐ１側に向かって突出する突出部を設けて、係合体７が回避位置から対向位置に回動したときに、その突出部が貫通孔１ａの内面に係止されるようにすることで、係合体７がボルト部材６とともに共回りするのを規制してもよい。こうして、係合体７が、対向位置にて共回りが規制されることで、その対向位置において、係合体７を、ボルト部材６の回動により引き寄せることができる。そして、特に第二の実施の形態においては、この突出部が、規制手段Ｘとなる。
【００３９】
また、第１の実施の形態において、第２ボルト部材６０２においては、係合体７を対向位置に移動させた後に、その第２ボルト部材６０２を、固定具本体５の第２通孔５０２に挿通するとともに係合体７の第２ねじ孔７１２にねじ込んでも構わない。そして、この場合には、固定具本体５には、第２通孔５０２に通ずる切欠き５ｃは必要ない。
【図面の簡単な説明】
【００４０】
【図１】この発明の第一の実施の形態の縦断面図である。
【図２】同じく、正面図である。
【図３】同じく、背面図である。
【図４】同じく、継手固定具において係合体が回避位置に位置する縦断面図である。
【図５】同じく、継手固定具において係合体が回避位置に位置する正面図である。
【図６】同じく、継手固定具において係合体が回避位置に位置する背面図である。
【図７】同じく、継手固定具において係合体が対向位置に位置する縦断面図である。
【図８】同じく、継手固定具において係合体が対向位置に位置する正面図である。
【図９】同じく、継手固定具において係合体が対向位置に位置する背面図である。
【図１０】同じく、給水湯管継手と取付補助具とを示す斜視図である。
【図１１】この発明の第二の実施の形態の縦断面図である。
【図１２】同じく、継手固定具において係合体が回避位置に位置する縦断面図である。
【図１３】同じく、継手固定具において係合体が回避位置に位置する正面図である。
【図１４】同じく、継手固定具において係合体が回避位置に位置する背面図である。
【図１５】同じく、図１２におけるＡ−Ａ線による拡大断面図である
【図１６】同じく、図１５におけるＢ矢視図である。
【図１７】同じく、継手固定具において係合体が対向位置に位置する縦断面図である。
【図１８】同じく、継手固定具において係合体が対向位置に位置する正面図である。
【図１９】同じく、継手固定具において係合体が対向位置に位置する背面図である。
【図２０】同じく、図１７におけるＣ−Ｃ線による拡大断面図である。
【図２１】同じく、図２０におけるＤ矢視図である。
【図２２】従来の水栓ボックスホルダーおよび水栓ボックスを示す断面図である。
【符号の説明】
【００４１】
１  壁
１ａ  貫通孔
１ｂ  周縁部壁表面
１ｃ  周縁部壁裏面
２  給水湯管継手
２ａ  一方の接続口
３ａ  給水湯管
４  継手固定具
５  固定具本体
５ａ  壁表当接部
５ｂ  通孔
５０１  第１通孔
５０２  第２通孔
５ｃ  切欠き
６  ボルト部材
６０１  第１ボルト部材
６０２  第２ボルト部材
７  係合体
７ａ  壁裏係合部
７０１  第１壁裏係合部
７０２  第２壁裏係合部
７ｂ  ねじ孔
７１１  第１ねじ孔
７１２  第２ねじ孔
７ｃ  係合体中間部
Ｐ１  壁表
Ｐ２  壁裏
【図１】
2009197461.tif 000003
【図２】
2009197461.tif 000004
【図３】
2009197461.tif 000005
【図４】
2009197461.tif 000006
【図５】
2009197461.tif 000007
【図６】
2009197461.tif 000008
【図７】
2009197461.tif 000009
【図８】
2009197461.tif 000010
【図９】
2009197461.tif 000011
【図１０】
2009197461.tif 000012
【図１１】
2009197461.tif 000013
【図１２】
2009197461.tif 000014
【図１３】
2009197461.tif 000015
【図１４】
2009197461.tif 000016
【図１５】
2009197461.tif 000017
【図１６】
2009197461.tif 000018
【図１７】
2009197461.tif 000019
【図１８】
2009197461.tif 000020
【図１９】
2009197461.tif 000021
【図２０】
2009197461.tif 000022
【図２１】
2009197461.tif 000023
【図２２】
2009197461.tif 000024